(57)【要約】      （修正有）【課題】ピッキングに対抗するため錠前の鍵穴を閉塞することができ且つ該装置の装着と解除を容易に行え、簡略化された堅牢な構造の錠前閉塞装置の閉塞体を提供する。【解決手段】折り曲げ位置Ｄを中心に２つ折りにされた第二閉塞体Ｂの隙間を摺動するように第一閉塞体Ａを設けて、前記第二閉塞体Ｂの回動孔８ａと回動孔８ｂの中心に、カムディスク支持ネジ孔１０の中心を整合させて、長半径Ｘと短半径Ｙとの間に回転軸を有したカムディスク９のカムディスク摺動部１１を、カム孔９ａに回動可能に嵌合配置させて閉塞体を形成する。【選択図】図１
0003157185.tif 000002
【実用新案登録請求の範囲】
【請求項１】
錠前の鍵穴を閉塞することのできる錠前閉塞装置の閉塞体であって、
折り曲げ位置Ｄを中心に２つ折りにされた第二閉塞体Ｂの隙間を摺動するように第一閉塞体Ａを設けて、前記第二閉塞体Ｂの回動孔８ａと回動孔８ｂの中心に、カムディスク支持ネジ孔１０の中心を整合させて、長半径Ｘと短半径Ｙとの間に回転軸を有したカムディスク９のカムディスク摺動部１１を、カム孔９ａに回動可能に嵌合配置させて閉塞体Ｃを形成し、
前記閉塞体Ｃは、第一閉塞体Ａの突起１を第二閉塞体Ｂの支持孔２に突出支持させて、閉塞目的の錠前の中のタンブラーピン１２が、少なくとも２つ以上を第一閉塞体Ａの長手方向に沿って径方向に片方及び両方側に設けた爪部７に係合してロックされ、
カムディスク９の回動により第一閉塞体Ａが第二閉塞体Ｂの間を摺動して爪部７がスライダー用突起３の間に移動してロック面が隠れたとき、第一閉塞体Ａの爪部７の背後の差込用スライド面６と第二閉塞体Ｂのスライダー用突起３の引抜用スライド面４と差込用スライド面５が挿入及び引き抜き時に、錠前のタンブラーピン１２に係止されず自由スライドするように、２つ折りされた第二閉塞体Ｂの間に第一閉塞体Ａが配置形成されたことを特徴とする錠前閉塞装置の閉塞体。
【請求項２】
第一閉塞体Ａの突起１の配置は、第二閉塞体Ｂの展開中央部以外の任意の位置に設けた支持孔２に整合する位置に配置することができる請求項１に記載の錠前閉塞装置の閉塞体。
【考案の詳細な説明】
【考案の詳細な説明】
【技術分野】
【０００１】  本考案は、錠前の鍵穴を閉塞することのできる錠前閉塞装置の閉塞体に係り、特に、ピッキング防止に最適で最も簡略化された構造を有しながら、堅牢な構造の錠前閉塞装置の閉塞体に関する。
【背景技術】
【０００２】  近年、施錠装置の不正解錠事件が多数発生している。しかし、既存の錠前の交換は容易でなく、新たに錠前を設置することは困難であった。
例えば、ユーザが自動車や自動二輪車に設けられた錠前を二重三重に設置することは事実上不可能である。
従来の施錠装置は、通常のピッキングツール等によって容易に解錠できる。不正解錠を防止するには、既存の施錠装置を新たな形式の施錠放置に交換するか、既存の錠前に加えて新たな錠前を装着していわゆるワンドアツーロックにするのが効果的であるが、従来の錠前閉塞装置の閉塞体は捩じり方向に脆弱な構造が多く、フック部が外れ易かった。
【考案の概要】
【考案が解決しようとする課題】
【０００３】  本考案は以上に述べた問題点に鑑み案出されたもので、ピッキングに対抗するため錠前の鍵穴を堅牢確実に閉塞することのできる錠前閉塞装置の閉塞体を提供しようとする。
【課題を解決するための手段】
【０００４】  請求項１に記載の本考案は、
錠前の鍵穴を閉塞することのできる錠前閉塞装置の閉塞体であって、
折り曲げ位置Ｄを中心に２つ折りにされた第二閉塞体Ｂの隙間を摺動するように第一閉塞体Ａを設けて、前記第二閉塞体Ｂの回動孔８ａと回動孔８ｂの中心に、カムディスク支持ネジ孔１０の中心を整合させて、長半径Ｘと短半径Ｙとの間に回転軸を有したカムディスク９のカムディスク摺動部１１を、カム孔９ａに回動可能に嵌合配置させて閉塞体Ｃを形成し、
前記閉塞体Ｃは、第一閉塞体Ａの突起１を第二閉塞体Ｂの支持孔２に突出支持させて、閉塞目的の錠前の中のタンブラーピン１２が、少なくとも２つ以上を第一閉塞体Ａの長手方向に沿って径方向に片方及び両方側に設けた爪部７に係合してロックされ、
カムディスク９の回動により第一閉塞体Ａが第二閉塞体Ｂの間を摺動して爪部７がスライダー用突起３の間に移動してロック面が隠れたとき、第一閉塞体Ａの爪部７の背後の差込用スライド面６と第二閉塞体Ｂのスライダー用突起３の引抜用スライド面４と差込用スライド面５が挿入及び引き抜き時に、錠前のタンブラーピン１２に係止されず自由スライドするように、２つ折りされた第二閉塞体Ｂの間に第一閉塞体Ａが配置形成されたことを特徴とする錠前閉塞装置の閉塞体である。【０００５】  請求項２に記載の本考案は、
第一閉塞体Ａの突起１の配置は、第二閉塞体Ｂの展開中央部以外の任意の位置に設けた支持孔２に整合する位置に配置することができる請求項１に記載の錠前閉塞装置の閉塞体である。
【考案の効果】
【０００６】  以上説明したように本考案の錠前閉塞装置の閉塞体は、その構成により、以下の効果を有する。
鍵穴に挿入できる長尺の部位である第二閉塞体Ｂの挿入部に、閉塞の目的の錠前内部構造に当接して滑ることのできる滑り面を挿入側と引き抜き側の両側に設け、鍵穴に挿入できる長尺の部位である第一閉塞体Ａの挿入部に内部構造に係合できるロック面を設け、第一閉塞体Ａの挿入部を前記長手方向に隙間１３分だけ移動させることができる端部機構を設け、互いの長手方向を揃えて鍵穴に挿入された第一閉塞体Ａの挿入部の一方が前記長手方向に隙間１３分だけ動くとロック面の爪部７がスライダー用突起３に隠れて、滑り内部構造に対する前記ロック面の係合を解除する様にしたので、爪部７が露出した状態で互いの長手方向を揃えた第一閉塞体Ａと第二閉塞体Ｂで形成された閉塞体Ｃを錠前に挿入すると、前記ロック面が鍵穴の内部構造に係合して第一閉塞体Ａの挿入部と第二閉塞体Ｂの挿入部とが鍵穴を閉塞でき、前記端部機構が鍵穴に挿入された第一閉塞体Ａの挿入部を長手方向へ隙間１３分だけ動かすと前記ロック面の内部構造に対する係合が解除されて第一閉塞体Ａの挿入部と第二閉塞体Ｂの挿入部とで形成された閉塞体Ｃを鍵穴から抜くことができる。【０００７】  また、閉塞体Ｃは第一閉塞体Ａの挿入部または第二閉塞体Ｂの挿入部が３枚重ね構造となり、二枚重ね構造の同様製品と比較したとき、捩じり方向或いは押し引き方向に対して全体の剛性が格段に向上する。
また、前記第一閉塞体Ａの挿入部と前記第二閉塞体Ｂの挿入部とが前記長手方向の先端で嵌合しているため、分解不能になっていて全体の剛性がより向上する。
従って、ピッキングに対抗するため錠前の鍵穴をより堅牢に閉塞することのできる錠前閉塞装置の閉塞体を提供できる。
【考案を実施するための形態】
【０００８】  以下、本考案を実施するための最良の形態を、図面を参照して説明する。なお、各図において、共通する部分には同一の符号を付し、重複した説明を省略する。
【０００９】  最初に、本考案の実施形態に係る錠前閉塞装置の閉塞体の全体を説明する。図１は、本考案の実施形態に係る錠前閉塞装置の閉塞体の展開説明図である。図２は、本考案の実施形態に係る錠前閉塞装置の閉塞体の錠前中での作動説明図である。図３は、本考案の実施形態に係る錠前閉塞装置の閉塞体の駆動のための参考分解説明図である。図４は駆動装置との組み合わせの参考実施斜視図である。図５は、本考案の実施形態に係る錠前閉塞装置の閉塞体の実施参考斜視図であり、突起１と支持孔２の支持位置を任意の方向に位置変えした実施参考斜視図である。図６は、当該製品をケーシングした参考完成斜視図である。
【００１０】  錠前閉塞装置の閉塞体は、錠前の鍵穴を閉塞することのできる装置であり、第一閉塞体Ａと第二閉塞体Ｂと端部機構とで構成される。
説明の容易のために、錠前の鍵穴の奥方向を前方、反対方向を後方として説明する。また、爪部７とスライダー用突起３が配置されている側を片方及び両方と説明している。
閉塞体Ｃは、先端の部位を鍵孔に挿入される部材であって、第一閉塞体Ａと第二閉塞体Ｂとで構成される。
第一閉塞体Ａは、鍵穴に挿入されて既存の鍵前の内部構造の錠前のタンブラーピン１２に当接してロックすることのできる、爪部７と差込用スライド面６を備えて先端部に突起１を設けられた長尺の部位である。
【００１１】  第一閉塞体Ａは板状の長尺の部位であり、板状の部位の縁に設けられた切り欠き部がロック面の爪部７を形成する。爪部７は、長手方向に対して所定の角度で尖っていて後方に向いたロック面爪部７である。所定の角度は、第一閉塞体Ａの材質と内部構造の材質の摩擦角より大きな角度である。複数のロック面の爪部７が設けられていてもよい。
第一閉塞体Ａの後方にはカム孔９ａが備わり、折り曲げ位置Ｄで２つ折りした第二閉塞体Ｂの間で、第二閉塞体Ｂの回動孔８ａ，回動孔８ｂをカムディスク支持ネジ孔１０を中心軸としてカムディスク９が回動する位置に配置されている。
図２は、閉塞体Ｃが折り曲げ位置Ｄを軸に第二閉塞体Ｂを２つ折りして第一閉塞体Ａを挟み込み、カムディスク９が回動して、錠前の中で錠前のタンブラーピン１２が爪部７に係止していることを示している。カム孔９ａは楕円形の打ち抜き孔である。
【００１２】  第二閉塞体Ｂは、前述した第一閉塞体Ａと一体となって一部の部位を鍵孔に挿入される部材であって、スライダー用突起３と回動孔８ａと回動孔８ｂと支持孔２とで構成される。
第二閉塞体Ｂの前方挿入部は、鍵穴に挿入されて既存の鍵前の内部構造の錠前のタンブラーピン１２を該閉塞体を引き抜くときに滑らせる滑り面の引抜用スライド面４と差込用スライド面５を持ち、第一閉塞体Ａの先端部である突起１を支持する支持孔２とを設けられた長尺の部位である。
例えば、第二閉塞体Ｂは板状の長尺の部位である。板状の部位の縁に設けられた切り欠き部が滑り面の引抜用スライド面４と差込用スライド面５を形成する。滑り面の引抜用スライド面４と差込用スライド面５は、長手方向に対して台形に近い角度で前方及び後方に向いた面である。第一閉塞体Ａの材質と内部構造の材質の摩擦角より小さい角度である。複数の滑り面の引抜用スライド面４と差込用スライド面５が、設けられていてもよい。
【００１３】  図３は、第二閉塞体Ｂの回動孔８ａと回動孔８ｂが第一閉塞体Ａのカム孔９ａを前方に回動させた図であり、第一閉塞体Ａ全体が前方に移動して爪部７がスライダー用突起３の間にかくれているのを示している。例えば、第一閉塞体Ａのカム孔９ａは長半径Ｘと短半径Ｙとの間に偏心回動中心軸を備え、第二閉塞体Ｂの後方は長半径Ｘを半径とした真円の打ち抜き孔である。
【００１４】  第一閉塞体Ａと第二閉塞体Ｂとは、互いの長手方向を揃えて、鍵穴に挿入することができる。第一閉塞体Ａは第二閉塞体Ｂの間で長手方向に相対的に隙間１３分だけ往復摺動できる。
第一閉塞体Ａと第二閉塞体Ｂとが錠孔の中を前方へ進むと、第一閉塞体Ａと第二閉塞体Ｂの差込用スライド面５と差込用スライド面６とが錠前の内部構造に当接して滑りながら、錠孔に入って行く。
閉塞体Ｃを完全に鍵穴に挿入して、第一閉塞体Ａの爪部７がスライダー用突起３の間からロック面を露出させたとき、既存の錠前の内部構造に係合できる。爪部７は既存の錠前の錠前のタンブラーピン１２に係合し、閉塞体Ｃを鍵穴から引き抜ことができない。
【００１５】  互いの長手方向を揃えて鍵穴に挿入された第一閉塞体Ａの挿入部と第二閉塞体Ｂの挿入部との一方の第一閉塞体Ａの挿入部が長手方向前方に、隙間１３分の距離だけ動くと、爪部７がスライダー用突起３に隠れて、錠前のタンブラーピン１２はそのまま動かずに係合を解除する。
例えば、第二閉塞体Ｂの挿入部を基準にして第一閉塞体Ａの挿入部１１を長手方向の隙間１３分の距離を前方にへ移動させると、爪部７が錠前のタンブラーピン１２を動かさずに、前方も後方も滑り面のみで構成されるので、ロックフリーの状態になるため、この状態で閉塞体Ｃをを引っ張ると、錠前のタンブラーピン１２は該装置を引き抜く力で、自ずから引抜用スライド面４を滑って上方にはね上がり、閉塞体Ｃが鍵穴から抜ける。
【００１６】  端部機構は、互いの長手方向を揃えた前記第一閉塞体Ａの挿入部と前記第二閉塞体Ｂの挿入部との少なくとも一方を前記長手方向に往復摺動させることができる機構である。
例えば、端部機構は、カムディスク９と駆動装置１４とケース１５とキー１６とで構成される。
【００１７】  カムディスク９は、偏心の第一閉塞体Ａのカム孔９ａと第二閉塞体Ｂの回動孔８ａ及び回動孔８ｂとに嵌合して、第一閉塞体Ａの爪部７部を長手方向に往復摺動させる機械要素である。
カムディスク９は、カムディスク支持ネジ孔１０を中心軸として長半径Ｘと短半径Ｙで偏心構成される。
第二閉塞体Ｂの回動孔８ａと回動孔８ｂは、カムディスク９の長半径Ｘと同心した真円でカムディスク支持ネジ孔１０と同心する。
【００１８】  カムディスク９が回転すると、第二閉塞体Ｂの挿入部を固定し、第一閉塞体Ａのカム孔９ａを介して、第一閉塞体Ａの挿入部を長手方向に隙間１３分だけ往復摺動させる。
隙間１３は、カムディスク９の長半径Ｘ−短半径Ｙの距離分に相関する。
駆動装置１４は、カムディスク９を回転させる機械要素であり、ケース１５と装置用錠  前シリンダの駆動装置１４で構成されている。
装置用錠前シリンダの駆動装置１４は、ケース１５に支持されて回転可能な錠前である。合致するキー１６を挿入すると、装置用錠前シリンダの駆動装置１４を回転させることができる。
【００１９】  次に、本考案の実施形態に係る第一閉塞体Ａと第二閉塞体Ｂとを説明する。
第二閉塞体Ｂの支持孔２は挿入部の長手方向の先端に設けた貫通孔であって、第一閉塞体Ａの挿入部の突起１が前記貫通孔に嵌合している。
また、第一閉塞体Ａの挿入部が長尺の板状の部位であり、第二閉塞体Ｂの挿入部が長尺の板状の部位であり、長手方向に平行な視線から見て第一閉塞体Ａの挿入部と第二閉塞体Ｂの挿入部とが支持孔２の貫通孔のガイド位置を必ずしも善とせず、第一閉塞体Ａの長尺板状の先端以外の任意の場所に、長尺板状の厚み分だけ突起１を設け、第一閉塞体Ａの突起１に整合する位置に第二閉塞体Ｂの長尺板状の挿入部に支持孔２のガイドを設けることもできる。
【００２０】  さらに、第一閉塞体Ａと第二閉塞体Ｂとが板厚方向に互いの面を当接して重なっているのが好ましい。
特に、第一閉塞体Ａと第二閉塞体Ｂが長手方向に交差する方向に接合する方向に分離不能になっているのが好ましい。
また特に、鍵穴の長手方向に直交する断面形状は、組み合わせたとき平面状の一枚の板状になる。第一閉塞体Ａと第二閉塞体Ｂとを平面状に重ね合わせることで、片面キーの鍵穴でも両面キーの鍵穴でもどちらにおいても一体として鍵穴に容易に挿入できる。
【図面の簡単な説明】
【００２１】
【図１】  本考案の実施形態に係る錠前閉塞装置の閉塞体の展開説明図である。
【図２】  本考案の実施形態に係る錠前閉塞装置の閉塞体の錠前中での作動説明図である。
【図３】  本考案の実施形態に係る錠前閉塞装置の閉塞体の駆動のための参考分解説明図である。
【図４】  本考案の実施形態に係る錠前閉塞装置の閉塞体と駆動装置との組み合わせの参考実施斜視図である。
【図５】  本考案の実施形態に係る錠前閉塞装置の閉塞体の実施参考斜視図であり、突起１と支持孔２の支持位置を任意の方向に位置変えした実施参考斜視図である。
【図６】  当該製品をケーシングした参考完成斜視図である。
【符号の説明】
【００２２】Ａ  第一閉塞体
Ｂ  第二閉塞体
Ｃ  閉塞体
Ｄ  折り曲げ位置
Ｘ  長半径
Ｙ  短半径【００２３】１  突起１
２  支持孔２
３  スライダー用突起
４  引抜用スライド面
５  差込用スライド面
６  差込用スライド面
７  爪部
８ａ  回動孔
８ｂ  回動孔【００２４】９  カムディスク
９ａ  カム孔
１０  カムディスク支持ネジ孔
１１  カムディスク摺動部
１２  錠前のタンブラーピン
１３  隙間
１４  駆動装置
１５  ケース
１６  キー
【図１】
0003157185.tif 000003
【図２】
0003157185.tif 000004
【図３】
0003157185.tif 000005
【図４】
0003157185.tif 000006
【図５】
0003157185.tif 000007
【図６】
0003157185.tif 000008